(57)【要約】      （修正有）【課題】サーバに原稿データを蓄積することなく、出先にある複合機などを利用して、印刷物を取得することができる通信システムおよびその制御方法を提供する。【解決手段】ネットワーク対応画像形成装置は、サーバ装置に対して、あらかじめ設定されている識別情報に自端末に設定されているネットワークアドレスを登録するように要求した後、端末装置は、サーバ装置から前記識別情報に対応したネットワークアドレスを取得し、その取得したネットワークアドレスの前記ネットワーク対応画像形成装置に対して、画像データの印刷を要求するとともに印刷する画像データを送信し、前記ネットワーク対応画像形成装置は、前記端末装置より受信した画像データの印刷を終了すると、前記サーバ装置に対し、前記識別情報に登録したネットワークアドレスを破棄するように要求するようにした。【選択図】図１
2008283551.tif 000002
【特許請求の範囲】
【請求項１】
ネットワークに接続されている端末装置の識別情報とネットワークアドレスとの関係を管理するサーバ装置と、
ネットワークを介して受信した画像データを印刷出力する機能を備えた複数のネットワーク対応画像形成装置と、
前記画像データを形成し、前記ネットワークを介して前記ネットワーク対応画像形成装置へ送信する端末装置を備えた通信システムであって、
前記ネットワーク対応画像形成装置は、前記サーバ装置に対して、あらかじめ割り当てられている識別情報に自端末に設定されているネットワークアドレスを登録するように要求した後、
前記端末装置は、前記サーバ装置から前記識別情報に対応したネットワークアドレスを取得し、その取得したネットワークアドレスの前記ネットワーク対応画像形成装置に対して、画像データの印刷を要求するとともに印刷する画像データを送信し、
前記ネットワーク対応画像形成装置は、前記端末装置より受信した画像データの印刷を終了すると、前記サーバ装置に対し、前記識別情報に登録したネットワークアドレスを破棄するように要求するようにしたことを特徴とする通信システム。
【請求項２】
ネットワークに接続されている端末装置の識別情報とネットワークアドレスとの関係を管理するサーバ装置と、
ネットワークを介して受信した画像データを印刷出力する機能を備えた複数のネットワーク対応画像形成装置と、
前記画像データを形成し、前記ネットワークを介して前記ネットワーク対応画像形成装置へ送信する端末装置を備えた通信システムの制御方法であって、
前記ネットワーク対応画像形成装置は、前記サーバ装置に対して、あらかじめ割り当てられている識別情報に自端末に設定されているネットワークアドレスを登録するように要求した後、
前記端末装置は、前記サーバ装置から前記識別情報に対応したネットワークアドレスを取得し、その取得したネットワークアドレスの前記ネットワーク対応画像形成装置に対して、画像データの印刷を要求するとともに印刷する画像データを送信し、
前記ネットワーク対応画像形成装置は、前記端末装置より受信した画像データの印刷を終了すると、前記サーバ装置に対し、前記識別情報に登録したネットワークアドレスを破棄するように要求するようにしたことを特徴とする通信システムの制御方法。
【発明の詳細な説明】
【技術分野】
【０００１】
本発明は、ネットワークに接続されている端末装置の識別情報とネットワークアドレスとの関係を管理するサーバ装置と、ネットワークを介して受信した画像データを印刷出力する機能を備えた複数のネットワーク対応画像形成装置と、前記画像データを形成し、前記ネットワークを介して前記ネットワーク対応画像形成装置へ送信する端末装置を備えた通信システム、および、その制御方法に関する。
【背景技術】
【０００２】
従来、コンビニエンスストアなどに置かれる複合機（画像形成装置）で、ファクシミリ送信だけでなくファクシミリ受信のサービスを行いたいニーズがある。しかし、ファクシミリ受信する場合、その複合機には固有の電話番号が振られており、その番号でしか受信できない。そのため、毎回送信者に異なる電話番号を教える必要がある。また、送信者は毎回異なる番号を入力するため、誤送信してしまう可能性がある。
【０００３】
かかる事態に鑑みて、送信者にファックスサーバに原稿を送信してもらい、利用者は出先の端末から自分用の受信ボックスに蓄積保存されている文書を取り出すシステムが提案されている（特許文献１参照）。
【特許文献１】特開２００４−２６０４８７号公報
【発明の開示】
【発明が解決しようとする課題】
【０００４】
この従来技術では、送信者が入力する番号がサーバの番号に固定されるため、誤送信する可能性は低い。しかし、原稿データをサーバに保存するため、サーバの記録媒体のコストが利用者数に比例して大きくなってしまうという問題がある。また、原稿データがサーバー上で保存されるために、利用者が取り出さないとサーバ上に原稿データが残ったままになるというセキュリティ上の問題もある。
【０００５】
本発明は、かかる実情に鑑みてなされたものであり、サーバに原稿データを蓄積することなく、出先にある複合機などを利用して、印刷物を取得することができる通信システムおよびその制御方法を提供すること目的とする。
【課題を解決するための手段】
【０００６】
本発明は、ネットワークに接続されている端末装置の識別情報とネットワークアドレスとの関係を管理するサーバ装置と、ネットワークを介して受信した画像データを印刷出力する機能を備えた複数のネットワーク対応画像形成装置と、前記画像データを形成し、前記ネットワークを介して前記ネットワーク対応画像形成装置へ送信する端末装置を備えた通信システムであって、前記ネットワーク対応画像形成装置は、前記サーバ装置に対して、あらかじめ割り当てられている識別情報に自端末に設定されているネットワークアドレスを登録するように要求した後、前記端末装置は、前記サーバ装置から前記識別情報に対応したネットワークアドレスを取得し、その取得したネットワークアドレスの前記ネットワーク対応画像形成装置に対して、画像データの印刷を要求するとともに印刷する画像データを送信し、前記ネットワーク対応画像形成装置は、前記端末装置より受信した画像データの印刷を終了すると、前記サーバ装置に対し、前記識別情報に登録したネットワークアドレスを破棄するように要求するようにしたものである。
【０００７】
また、ネットワークに接続されている端末装置の識別情報とネットワークアドレスとの関係を管理するサーバ装置と、ネットワークを介して受信した画像データを印刷出力する機能を備えた複数のネットワーク対応画像形成装置と、前記画像データを形成し、前記ネットワークを介して前記ネットワーク対応画像形成装置へ送信する端末装置を備えた通信システムの制御方法であって、前記ネットワーク対応画像形成装置は、前記サーバ装置に対して、あらかじめ割り当てられている識別情報に自端末に設定されているネットワークアドレスを登録するように要求した後、前記端末装置は、前記サーバ装置から前記識別情報に対応したネットワークアドレスを取得し、その取得したネットワークアドレスの前記ネットワーク対応画像形成装置に対して、画像データの印刷を要求するとともに印刷する画像データを送信し、前記ネットワーク対応画像形成装置は、前記端末装置より受信した画像データの印刷を終了すると、前記サーバ装置に対し、前記識別情報に登録したネットワークアドレスを破棄するように要求するようにしたものである。
【発明の効果】
【０００８】
したがって、本発明によれば、特定の識別情報を利用して、複数のネットワーク対応画像形成装置に画像データを転送して印刷出力することができるので、非常に便利である。
【発明を実施するための最良の形態】
【０００９】
以下、添付図面を参照しながら、本発明の実施の形態を詳細に説明する。
【００１０】
図１は、本発明の一実施例にかかる通信システムの一例を示している。
【００１１】
同図において、この通信システムは、インターネットＮＴに接続されたサーバ装置ＳＶと、複数の送信端末装置ＴＸ１〜ＴＸｎ、および、複数の受信端末装置ＲＸ１〜ＲＸｎからなる。例えば、受信端末装置ＲＸ１〜ＲＸｎは、コンビニエンスストアなどに設置されているネットワーク対応画像形成装置（複合機等）が相当する。
【００１２】
また、ゲートウェイ装置ＧＷを介して、インターネットＮＴは、一般公衆回線ＰＳＴＮに接続されており、このゲートウェイ装置ＧＷの機能により、一般公衆回線ＰＳＴＮに接続されたグループ３ファクシミリ装置ＦＸ１，ＦＸ２と、複数の送信端末装置ＴＸ１〜ＴＸｎ、および、複数の受信端末装置ＲＸ１〜ＲＸｎは、相互に通信可能である。
【００１３】
また、サーバ装置ＳＶは、ＳＩＰ（Ｓｅｓｓｉｏｎ  Ｉｎｉｔｉａｔｉｏｎ  Ｐｒｏｔｏｃｏｌ）サーバ機能（特にディレクトリサーバ機能等）を備えており、送信端末装置ＴＸ１〜ＴＸｎは、画像データを作成して受信端末装置ＲＸ１〜ＲＸｎへ送信する機能を備えており、受信端末装置ＲＸ１〜ＲＸｎは、画像データを受信し、受信した画像データの印刷物を記録出力する機能を備えている。
【００１４】
なお、ＳＩＰの詳細やシステム例については、例えば、「Ｈｅｎｒｙ  Ｓｉｎｎｒｅｉｃｈ・Ａｌａｎ  Ｂ．Ｊｏｈｎｓｔｏｎ、阪口克彦、マスタリングＴＣＰ／ＩＰ  ＳＩＰ編、第１版」などを参照のこと。
【００１５】
図２は、端末装置（送信端末装置ＴＸ１〜ＴＸｎ、および、受信端末装置ＲＸ１〜ＲＸｎ）の構成の一例を示している。
【００１６】
同図において、システム制御部１は、この端末装置の各部の制御処理、および、通信アプリケーション処理などの各種制御処理を行うものであり、システムメモリ２は、システム制御部１が実行する制御処理プログラム、および、処理プログラムを実行するときに必要な各種データ（例えば、サーバ装置ＳＶのＩＰアドレスなど）などを記憶するとともに、システム制御部１のワークエリアを構成するものであり、パラメータメモリ３は、この端末装置に固有な各種の情報を記憶するためのものであり、時計回路４は、現在時刻情報を出力するものである。
【００１７】
スキャナ５は、所定の解像度で原稿画像を読み取るためのものであり、プロッタ６は、所定の解像度で画像を記録出力するためのものであり、操作表示部７は、この端末装置を操作するためのもので、各種の操作キー、および、各種の表示器からなる。
【００１８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１９】
ネットワークインターフェース回路１０は、この端末装置をインターネットＮＴに接続するためのものであり、ネットワーク伝送制御部１１は、インターネットＮＴを介して、他のデータ端末装置との間で種々のデータをやりとりするための各種所定のプロトコルスイートの通信制御処理を実行するためのものである。
【００２０】
Ｔ．３８通信処理部１２は、ＩＴＵ−Ｔ標準Ｔ．３８に準拠した通信機能により、相手端末との間でリアルタイム的にファクシミリ通信するためのものである。
【００２１】
これらの、システム制御部１、システムメモリ２、パラメータメモリ３、時計回路４、スキャナ５、プロッタ６、操作表示部７、符号化復号化部８、画像蓄積装置９、ネットワーク伝送制御部１１、および、Ｔ．３８通信処理部１２は、内部バス１３に接続されており、これらの各要素間でのデータのやりとりは、主としてこの内部バス１３を介して行われている。
【００２２】
図３は、サーバ装置ＳＶの構成例を示している。
【００２３】
同図において、ＣＰＵ（中央処理装置）２１は、このサーバ装置ＳＶの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００２４】
キャラクタジェネレータ２４は、図形文字の表示データを発生するためのものであり、時計回路２５は、現在日時情報を出力するためのものであり、ネットワークインターフェース回路２６は、このサーバ装置ＳＶをインターネットＮＴに接続するためのものであり、ネットワーク伝送制御部２７は、インターネットＮＴを介して、他のデータ端末装置との間で種々のデータをやりとりするための各種所定のプロトコルスイートの通信制御処理を実行するためのものである。
【００２５】
磁気ディスク装置２８は、ＳＩＰサーバ機能プログラムの種々のアプリケーションプログラム、ワークデータ、ファイルデータ、画情報データなどの種々のデータを記憶するためのものであり、ＣＲＴ画面表示装置２９は、このサーバ装置ＳＶを操作するための画面を表示するためのものであり、表示制御部３０は、ＣＲＴ画面表示装置２９の表示内容を制御するためのものである。
【００２６】
キーボード装置３１は、このサーバ装置ＳＶに種々のキー操作を行うためのものであり、画面指示装置３２は、ＣＲＴ画面表示装置２９の任意の点を指示する等の操作作業を行うためのものであり、入力制御部３３は、キーボード装置３１および画面指示装置３２の入力情報を取り込む等するためのものである。
【００２７】
これらのＣＰＵ２１、ＲＯＭ２２、ＲＡＭ２３、キャラクタジェネレータ２４、時計回路２５、ローカルエリアネットワーク伝送制御部２７、磁気ディスク装置２８、表示制御部３０、および、入力制御部３３は、バス３４に接続されており、これらの各要素間のデータのやりとりは、主としてこのバス３４を介して行われる。
【００２８】
本実施例では、送信端末装置ＴＸ１〜ＴＸｎから受信端末装置ＲＸ１〜ＲＸｎへファクシミリ画情報を送信する場合、標準Ｔ．３８プロトコルが適用される。また、グループ３ファクシミリ装置ＦＸ１，ＦＸ２から受信端末装置ＲＸ１〜ＲＸｎへファクシミリ画情報を送信する場合、グループ３ファクシミリ装置ＦＸ１，ＦＸ２とゲートウェイ装置ＧＷとの間は、ＩＴＵ−Ｔ標準Ｔ．３０に準拠したプロトコルが適用され、また、ゲートウェイ装置ＧＷと受信端末装置ＲＸ１〜ＲＸｎとの間は、標準Ｔ．３８プロトコルが適用される。
【００２９】
図４は、ＳＩＰを利用した場合、受信端末装置ＲＸ１〜ＲＸｎのサーバ装置ＳＶへの受信者識別情報（例えば、いわゆる携帯電話の電話番号（割り当てられている識別情報）など）と受信端末識別情報（ＩＰアドレス（ネットワークアドレス））の登録依頼のシーケンスの一例を示している。
【００３０】
まず、受信端末装置ＲＸ１〜ＲＸｎのユーザは、操作表示部７を操作して、送受信選択画面（図５参照）より、「受信」動作を選択するとともに、ログイン操作により個人電話番号（割り当てられている識別情報）を入力する（ステップ５０１）。このログイン操作では、例えば、操作表示部８に図６に示すような個人電話番号入力画面が表示され、ユーザは、この個人電話番号入力画面の表示に従って個人電話番号を入力する。
【００３１】
次に、受信端末装置ＲＸ１〜ＲＸｎは、入力された個人電話番号と、自端末に登録されているＩＰアドレスをＲＥＧＩＳＴＥＲリクエストでサーバ装置ＳＶに登録依頼を行う（ステップ５０２）。これにより、サーバ装置ＳＶに登録が成功すると、［２００  ＯＫ］レスポンスが返される（ステップ５０３）。
【００３２】
このように、サーバ装置ＳＶに個人電話番号に対して自端末のＩＰアドレスが登録されているので、これ以降は、個人電話番号宛て通信を受信端末装置ＲＸ１〜ＲＸｎで受信することが可能である。
【００３３】
受信動作が終了すると、ユーザは、例えば、図７に示したような画面から「受信中止」を選択して、ログアウト操作を行う。
【００３４】
それにより、受信端末装置ＲＸ１〜ＲＸｎは、入力された個人電話番号への自端末のＩＰアドレスの登録を解除するために、パラメータｅｘｐｉｒｅｓの値が「０」（登録削除をあらわす）のＲＥＧＩＳＴＥＲリクエストをサーバ装置ＳＶに送信する。これにより、サーバ装置ＳＶは、指定された電話番号からＩＰアドレスを削除する。
【００３５】
そして、サーバ装置ＳＶは、その削除が成功すると、受信端末装置ＲＸ１〜ＲＸｎに対して、［２００  ＯＫ］レスポンスを応答する（ステップ５０５）。
【００３６】
したがって、これ以降は、個人電話番号宛て通信を受信端末装置ＲＸ１〜ＲＸｎで受信することはない。
【００３７】
このようにして、この場合は、ユーザがログオンしてからログアウトするまでの間、ユーザが操作入力した個人電話番号に対して、自端末のＩＰアドレスがサーバ装置ＳＶに登録されるので、例えば、送信端末装置ＴＸ１〜ＴＸｎがサーバ装置ＳＶに対して、個人電話番号に対するＩＰアドレスを問い合わせると、その時点で登録されているＩＰアドレスが送信端末装置ＴＸ１〜ＴＸｎに通知される。
【００３８】
そこで、送信端末装置ＴＸ１〜ＴＸｎが、通知されたＩＰアドレスに対してＴ．３８通信を実行すると、ユーザがログオンしている受信端末装置ＲＸ１〜ＲＸｎとの間で通信動作が行われることとなる。
【００３９】
その結果、ユーザは、任意の受信端末装置ＲＸ１〜ＲＸｎに赴いて、送信端末装置ＴＸ１〜ＴＸｎからの画情報を受信し、印刷させることができることとなる。したがって、例えば、コンビニエンスストアの店舗に設置されている複合機を利用してファクシミリ画情報を受信する場合、ユーザは、自分に登録されている電話番号（個人電話番号）を送信端末装置ＴＸ１〜ＴＸｎに通知するだけでよいので、非常に操作が簡単になるとともに、誤送信等の発生をも防止することができる。
【００４０】
図８は、受信端末装置ＲＸ１〜ＲＸｎの受信処理の一例を示している。
【００４１】
まず、ユーザが図５に示した操作画面から受信を選択すると（処理１０１）、操作表示部８に図６に示したような個人電話番号入力画面を表示して（処理１０２）、ユーザに個人電話番号を入力させる（処理１０３）。
【００４２】
次いで、サーバ装置ＳＶに対して、入力された電話番号に対して自端末のＩＰアドレスを登録するように依頼する（処理１０４）。ここで、サーバ装置ＳＶから登録成功が通知されると（判断１０５の結果がＹＥＳ）、操作表示部８に図７に示したような受信可能な旨を表示し（処理１０６）、送信端末装置ＴＸ１〜ＴＸｎからの受信要求を待つ（判断１０７）。
【００４３】
いずれかの送信端末装置ＴＸ１〜ＴＸｎから受信要求を受信し、受信動作を開始すると、Ｔ．３８プロトコルを実行して、画情報を受信し、受信した画情報を印刷出力する（処理１０８）。受信動作が終了すると、処理１０６へ戻り、受信可能表示状態へ戻る。
【００４４】
一方、ユーザが、受信中止を選択操作した場合には、このときの動作を終了する。
【００４５】
また、サーバ装置ＳＶへの登録が成功しない場合で、判断１０５の結果がＮＯになるときには、登録失敗を表示して（処理１０９）、このときの動作を終了する。
【００４６】
なお、処理１０３において、操作表示部８より個人電話番号を入力する代わりに、操作表示部８に記録媒体読み出し手段を設け、記録媒体に格納された受信端末識別情報を読み出して取得してもより。記録媒体としては、ＩＤカード、ＵＳＢメモリ、適宜なメモリカード、あるいは、非接触型ＩＣカードなどを利用することができる。
【００４７】
次に、受信者識別情報に電話番号を使用し、受信端末識別情報にＩＰアドレスを使用し、サーバ装置ＳＶの機能としてＳＩＰサーバを利用し、サーバ装置ＳＶで認証を行わせる場合の実施例を説明する。
【００４８】
図９は、ＳＩＰを利用し、認証方式としてダイジェスト認証（ＲＦＣ２６１７参照）を利用した場合の登録依頼のシーケンスの一例を示す。
【００４９】
まず、受信端末装置ＲＸ１〜ＲＸｎのユーザは、操作表示部７を操作して、送受信選択画面（図５参照）より、「受信」動作を選択するとともに、ログイン操作により個人電話番号を入力する（ステップ７０１）。このログイン操作では、例えば、操作表示部８に図１０に示すような個人電話番号入力画面が表示され、ユーザは、この個人電話番号入力画面の表示に従って個人電話番号とパスワードを入力する。
【００５０】
次に、受信端末装置ＲＸ１〜ＲＸｎは、入力された個人電話番号と、自端末に登録されているＩＰアドレスをＲＥＧＩＳＴＥＲリクエストでサーバ装置ＳＶに登録依頼を行う（ステップ７０２）。
【００５１】
この場合は、サーバ装置ＳＶからｎｏｎｃｅパラメータとｒｅａｌｍパラメータとともに認証を要求する［４０１  Ｕｎａｕｔｈｏｒｉｚｅｄ］レスポンスが返される（ステップ７０３）。
【００５２】
それにより、受信端末装置ＲＸ１〜ＲＸｎは、入力された個人電話番号と自端末のＩＰアドレスとｎｏｎｃｅパラメータとｒｅａｌｍパラメータよりｒｅｓｐｏｎｃｅパラメータを計算する。そして、入力された個人電話番号と自端末のＩＰアドレスとｎｏｎｃｅパラメータとｒｅａｌｍパラメータとｒｅｓｐｏｎｃｅパラメータをＲＥＧＩＳＴＥＲリクエストでサーバ装置ＳＶに登録依頼を行う。
【００５３】
この場合は、サーバ装置ＳＶは、登録が成功するので、［２００  ＯＫ］レスポンスを応答する。
【００５４】
このように、サーバ装置ＳＶに個人電話番号に対して自端末のＩＰアドレスが登録されているので、これ以降は、個人電話番号宛て通信を受信端末装置ＲＸ１〜ＲＸｎで受信することが可能である。
【００５５】
受信動作が終了すると、ユーザは、例えば、図７に示したような画面から「受信中止」を選択して、ログアウト操作を行う。
【００５６】
これにより、受信端末装置ＲＸ１〜ＲＸｎは、入力された個人電話番号と端末のＩＰアドレスとｎｏｎｃｅパラメータとｒｅａｌｍパラメータとｒｅｓｐｏｎｃｅパラメータをＲＥＧＩＳＴＥＲリクエストでサーバ装置ＳＶに削除依頼を行う（パラメータｅｘｐｉｒｅｓが０で登録削除を表す）（ステップ７０７）。
【００５７】
サーバ装置ＳＶは、登録削除が成功すると［２００  ＯＫ］レスポンスを応答する（ステップ７０８）。
【００５８】
図１１は、この場合の受信端末装置ＲＸ１〜ＲＸｎの処理の一例を示している。
【００５９】
まず、ユーザが図５に示した操作画面から受信を選択すると（処理２１）、操作表示部８に図６に示したような個人電話番号入力画面を表示して（処理２０２）、ユーザに個人電話番号とパスワードを入力させる（処理２０３）。
【００６０】
次いで、サーバ装置ＳＶに対して、上述したような認証有りの場合のシーケンスを適用して、入力された電話番号に対して自端末のＩＰアドレスを登録するように依頼する（処理２０４）。ここで、サーバ装置ＳＶから登録成功が通知されると（判断２０５の結果がＹＥＳ）、操作表示部８に図７に示したような受信可能な旨を表示し（処理２０６）、送信端末装置ＴＸ１〜ＴＸｎからの受信要求を待つ（判断２０７）。
【００６１】
いずれかの送信端末装置ＴＸ１〜ＴＸｎから受信要求を受信し、受信動作を開始すると、Ｔ．３８プロトコルを実行して、画情報を受信し、受信した画情報を印刷出力する（処理２０８）。受信動作が終了すると、処理２０６へ戻り、受信可能表示状態へ戻る。
【００６２】
一方、ユーザが、受信中止を選択操作した場合には、このときの動作を終了する。
【００６３】
また、サーバ装置ＳＶへの登録が成功しない場合で、判断２０５の結果がＮＯになるときには、登録失敗を表示して（処理２０９）、このときの動作を終了する。
【００６４】
図１２は、ＳＩＰを利用した場合の登録・通信・状態通知依頼・状態通知のシーケンスの一例を示している。
【００６５】
送信端末装置ＴＸ１〜ＴＸｎは、操作表示部８より状態を知りたい個人電話番号が入力されると、サーバ装置ＳＶにＳＵＢＳＣＲＩＢＥリクエストで状態通知依頼登録を行う（ステップ８０１）。
【００６６】
サーバ装置ＳＶに登録が成功すると［２００  ＯＫ］レスポンスが送信端末装置ＴＸ１〜ＴＸｎに返される（ステップ８０２）。
【００６７】
サーバ装置ＳＶから個人電話番号の状態［着信不可］がＮＯＴＩＦＹリクエストで送信端末装置ＴＸ１〜ＴＸｎに送信されてくる（ステップ８０３）。
【００６８】
送信端末装置ＴＸ１〜ＴＸｎは、個人番号の状態を操作表示部８に表示し、サーバ装置ＳＶに［２００  ＯＫ］レスポンスを返す。
【００６９】
受信端末装置ＲＸ１〜ＲＸｎでは、操作表示部８より上述したようなログイン操作により個人電話番号が入力される（ステップ８０５）。
【００７０】
受信端末装置ＲＸ１〜ＲＸｎは、入力された個人電話番号と自端末のＩＰアドレスをＲＥＧＩＳＴＥＲリクエストでサーバ装置ＳＶに登録依頼を行う（ステップ８０６）。
【００７１】
サーバ装置ＳＶに登録が成功すると、受信端末装置ＲＸ１〜ＲＸｎに［２００  ＯＫ］レスポンスが返される（ステップ８０７）。
【００７２】
サーバ装置ＳＶから送信端末装置ＴＸ１〜ＴＸｎに、個人電話番号の状態［着信可能］がＮＯＴＩＦＹリクエストで送信されてくる（ステップ８０８）。
【００７３】
送信端末装置ＴＸ１〜ＴＸｎは、個人番号の状態を操作表示部８に表示し、サーバ装置ＳＶに［２００  ＯＫ］レスポンスを返す（ステップ８０９）。
【００７４】
送信端末装置ＴＸ１〜ＴＸｎでは、スキャナ５で原稿を読み取り、操作表示部８より個人電話番号を入力し、受信端末に送信する（ステップ８１０）。
【００７５】
これにより、送信端末装置ＴＸ１〜ＴＸｎは、サーバ装置ＳＶにＩＮＶＩＴＥリクエストで個人電話番号宛ての発呼依頼を行う（ステップ８１１）。
【００７６】
サーバ装置ＳＶは、受信端末装置ＲＸ１〜ＲＸｎからＲＥＧＩＳＴＥＲリクエスト登録されたＩＰアドレスにＩＮＶＩＴＥリクエストを転送する（ステップ８１２）。
【００７７】
サーバ装置ＳＶは、送信端末装置ＴＸ１〜ＴＸｎに［１００  Ｔｒｙｉｎｇ］レスポンスを返す（ステップ８１３）。
【００７８】
受信端末装置ＲＸ１〜ＲＸｎは、ＩＮＶＩＴＥリクエストを受けるとサーバ装置ＳＶに［１００  Ｔｒｙｉｎｇ］レスポンスを返す（ステップ８１４）。
【００７９】
受信端末装置ＲＸ１〜ＲＸｎは、着信可能ならサーバ装置ＳＶに［２００  ＯＫ］レスポンスを返す（ステップ８１５）。
【００８０】
サーバ装置ＳＶは、受信端末装置ＲＸ１〜ＲＸｎからの［２００  ＯＫ］レスポンスを受けると、送信端末装置ＴＸ１〜ＴＸｎに［２００  ＯＫ］レスポンスを返す（ステップ８１６）。
【００８１】
送信端末装置ＴＸ１〜ＴＸｎは、［２００  ＯＫ］レスポンスを受けると受信端末装置ＲＸ１〜ＲＸｎにＡＣＫリクエストを送信する（ステップ８１７）。
【００８２】
送信端末装置ＴＸ１〜ＴＸｎは、受信端末装置ＲＸ１〜ＲＸｎにメディアセッションを接続する。送信端末装置ＴＸ１〜ＴＸｎは、メディアセッションの中でＴ．３８プロトコルに従い受信端末装置ＲＸ１〜ＲＸｎにファクシミリ画情報データを送信する（ステップ８１８）。
【００８３】
送信端末装置ＴＸ１〜ＴＸｎは、送信し終わると受信端末装置ＲＸ１〜ＲＸｎにＢＹＥリクエストを送信する（ステップ８１９）。
【００８４】
送信端末装置ＴＸ１〜ＴＸｎは、ＢＹＥリクエストを受けると送信端末装置ＴＸ１〜ＴＸｎに［２００  ＯＫ］レスポンスを返す（ステップ８２０）。
【００８５】
受信端末装置ＲＸ１〜ＲＸｎの操作表示部８よりログアウト操作が行われる（ステップ８２１）。
【００８６】
受信端末装置ＲＸ１〜ＲＸｎで入力された個人電話番号と自端末のＩＰアドレスをＲＥＧＩＳＴＥＲリクエストでサーバ装置ＳＶに削除依頼を行う。（注記：パラメータｅｘｐｉｒｅｓが０で登録削除を表す）（ステップ８２２）。
【００８７】
サーバ装置ＳＶから削除が成功すると受信端末装置ＲＸ１〜ＲＸｎに［２００  ＯＫ］レスポンスが返される（ステップ８２３）。
【００８８】
サーバ装置ＳＶから個人電話番号の状態［着信不可］がＮＯＴＩＦＹリクエストで送信端末装置ＴＸ１〜ＴＸｎに送信されてくる（ステップ８２４）。
【００８９】
送信端末装置ＴＸ１〜ＴＸｎは、個人番号の状態を操作表示部８に表示し、サーバ装置ＳＶに［２００  ＯＫ］レスポンスを返す（ステップ８２５）。
【００９０】
なお、上記例では、状態通知を受け取る端末を送信端末と同一としているが、状態通知を他の端末装置（例えば、パーソナルコンピュータ装置など）で受け取ることも可能である。
【００９１】
図１３は、接続要求をサーバ装置ＳＶが中継する場合のＳＩＰを利用した送信シーケンスの一例を示す。
【００９２】
送信端末装置ＴＸ１〜ＴＸｎは、サーバ装置ＳＶに個人電話番号宛てのＩＮＶＩＴＥリクエストの中継依頼を行う（ステップ１３００）。
【００９３】
サーバ装置ＳＶは、管理している受信端末装置ＲＸ１〜ＲＸｎの個人電話番号とＩＰアドレスより中継依頼先のＩＰアドレスを調べ、ＩＮＶＩＴＥリクエストを受信端末装置ＲＸ１〜ＲＸｎに転送する（ステップ１３０１）。
【００９４】
サーバ装置ＳＶは、送信端末装置ＴＸ１〜ＴＸｎに［１００  Ｔｒｙｉｎｇ］レスポンスを返す（ステップ１３０２）。
【００９５】
受信端末装置ＲＸ１〜ＲＸｎは、ＩＮＶＩＴＥリクエストを受けるとサーバ装置ＳＶに［１００  Ｔｒｙｉｎｇ］レスポンスを返す（ステップ１３０３）。
【００９６】
受信端末装置ＲＸ１〜ＲＸｎは、受信可能ならサーバ装置ＳＶに［２００  ＯＫ］レスポンスを返す（ステップ１３０４）。
【００９７】
サーバ装置ＳＶは、受信端末装置ＲＸ１〜ＲＸｎからの［２００  ＯＫ］レスポンスを受けると、送信端末装置ＴＸ１〜ＴＸｎに［２００  ＯＫ］レスポンスを転送する（ステップ１３０５）。
【００９８】
送信端末装置ＴＸ１〜ＴＸｎは、［２００  ＯＫ］レスポンスを受けると受信端末装置ＲＸ１〜ＲＸｎにＡＣＫリクエストを送信する（ステップ１３０６）。
【００９９】
送信端末装置ＴＸ１〜ＴＸｎは、受信端末装置ＲＸ１〜ＲＸｎにメディアセッションを接続する。送信端末装置ＴＸ１〜ＴＸｎは、メディアセッションの中でＴ．３８プロトコルに従い受信端末装置ＲＸ１〜ＲＸｎにファクシミリ画情報データを送信する（ステップ１３０７）。
【０１００】
送信端末装置ＴＸ１〜ＴＸｎは、送信し終わると受信端末装置ＲＸ１〜ＲＸｎにＢＹＥリクエストを送信する（ステップ１３０８）。
【０１０１】
受信端末装置ＲＸ１〜ＲＸｎは、ＢＹＥリクエストを受けると送信端末装置ＴＸ１〜ＴＸｎに［２００  ＯＫ］レスポンスを返す（ステップ１３０９）。
【０１０２】
図１４は、接続要求先をサーバ装置ＳＶに問い合わせて直接接続する場合のＳＩＰを利用した送信シーケンスの一例を示している。
【０１０３】
送信端末装置ＴＸ１〜ＴＸｎは、サーバ装置ＳＶにＩＮＶＩＴＥリクエストで個人電話番号宛てのＩＰアドレスの問い合わせ依頼を行う（ステップ１４００）。
【０１０４】
サーバ装置ＳＶは、送信端末装置ＴＸ１〜ＴＸｎに［１００  Ｔｒｙｉｎｇ］レスポンスを返す（ステップ１４０１）。
【０１０５】
サーバ装置ＳＶは、送信端末装置ＴＸ１〜ＴＸｎに［２００  ＯＫ］レスポンスで受信端末装置ＲＸ１〜ＲＸｎのＩＰアドレスを返す（ステップ１４０２）。
【０１０６】
送信端末装置ＴＸ１〜ＴＸｎは、［２００  ＯＫ］レスポンスを受けるとサーバ装置ＳＶにＡＣＫリクエストを送信する（ステップ１４０３）。
【０１０７】
送信端末装置ＴＸ１〜ＴＸｎは、受信端末装置ＲＸ１〜ＲＸｎにＩＮＶＩＴＥリクエストを送信する（ステップ１４０４）。
【０１０８】
受信端末装置ＲＸ１〜ＲＸｎは、送信端末装置ＴＸ１〜ＴＸｎに［１００  Ｔｒｙｉｎｇ］レスポンスを返す（ステップ１４０５）。
【０１０９】
受信端末装置ＲＸ１〜ＲＸｎは、受信可能ならサーバ装置ＳＶに［２００  ＯＫ］レスポンスを返す（ステップ１４０６）。
【０１１０】
送信端末装置ＴＸ１〜ＴＸｎは、［２００  ＯＫ］レスポンスを受けると受信端末装置ＲＸ１〜ＲＸｎにACKリクエストを送信する（ステップ１４０７）。
【０１１１】
送信端末装置ＴＸ１〜ＴＸｎは、受信端末装置ＲＸ１〜ＲＸｎにメディアセッションを接続する。送信端末装置ＴＸ１〜ＴＸｎは、メディアセッションの中でＴ．３８プロトコルに従い受信端末装置ＲＸ１〜ＲＸｎに原稿データを送信する（ステップ１４０８）。
【０１１２】
送信端末装置ＴＸ１〜ＴＸｎは、送信し終わると受信端末装置ＲＸ１〜ＲＸｎにＢＹＥリクエストを送信する（ステップ１４０９）。
【０１１３】
受信端末装置ＲＸ１〜ＲＸｎは、ＢＹＥリクエストを受けると送信端末装置ＴＸ１〜ＴＸｎに［２００  ＯＫ］レスポンスを返す（ステップ１４１０）。
【図面の簡単な説明】
【０１１４】
【図１】本発明の一実施例にかかる通信システムの一例を示したブロック図。
【図２】端末装置（送信端末装置ＴＸ１〜ＴＸｎ、および、受信端末装置ＲＸ１〜ＲＸｎ）の構成の一例を示したブロック図。
【図３】サーバ装置ＳＶの構成例を示したブロック図。
【図４】ＳＩＰを利用した場合、受信端末装置ＲＸ１〜ＲＸｎのサーバ装置ＳＶへの受信者識別情報（電話番号（識別情報））と受信端末識別情報（ＩＰアドレス（ネットワークアドレス））の登録依頼のシーケンスの一例を示した図。
【図５】送受信選択画面の一例を示した図。
【図６】個人電話番号入力画面の一例を示した図。
【図７】受信動作中の画面例の一例を示した図。
【図８】受信端末装置ＲＸ１〜ＲＸｎの受信処理の一例を示したフローチャート。
【図９】ＳＩＰを利用し、認証方式としてダイジェスト認証（ＲＦＣ２６１７参照）を利用した場合の登録依頼のシーケンスの一例を示した図。
【図１０】個人電話番号入力画面の他の例を示した図。
【図１１】受信端末装置ＲＸ１〜ＲＸｎの受信処理の他の例を示したフローチャート。
【図１２】ＳＩＰを利用した場合の登録・通信・状態通知依頼・状態通知のシーケンスの一例を示した図。
【図１３】接続要求をサーバ装置ＳＶが中継する場合のＳＩＰを利用した送信シーケンスの一例を示した図。
【図１４】接続要求先をサーバ装置ＳＶに問い合わせて直接接続する場合のＳＩＰを利用した送信シーケンスの一例を示した図。
【符号の説明】
【０１１５】
ＴＸ１〜ＴＸｎ  送信端末装置
ＲＸ１〜ＲＸｎ  受信端末装置
ＳＶ  サーバ装置
【図１】
2008283551.tif 000003
【図２】
2008283551.tif 000004
【図３】
2008283551.tif 000005
【図４】
2008283551.tif 000006
【図５】
2008283551.tif 000007
【図６】
2008283551.tif 000008
【図７】
2008283551.tif 000009
【図８】
2008283551.tif 000010
【図９】
2008283551.tif 000011
【図１０】
2008283551.tif 000012
【図１１】
2008283551.tif 000013
【図１２】
2008283551.tif 000014
【図１３】
2008283551.tif 000015
【図１４】
2008283551.tif 000016